(57)【要約】【課題】  エリアのセキュリティレベルに応じた管理アイテムの所在位置の管理を確実に行うことができるようにする。【解決手段】  管理アイテム１の識別ＩＤを、管理アイテム１に添付されるパッシブタイプ及びアクティブタイプのＲＦＩＤタグ１１，１２のＩＤと、これらのＩＤを読み取るパッシブタイプ及びアクティブタイプのＲＦＩＤリーダ２Ａ，２Ｂ，３Ａ，３ＢのＩＤをキーとする機種タイプ及び位置情報との組に紐付けして管理し、高度なセキュリティを要しない通常エリア７に配置されるパッシブタイプのＲＦＩＤリーダ２Ａ，２Ｂ又は高度なセキュリティを要する監視エリア８に配置されるアクティブタイプのＲＦＩＤリーダ３Ａ，３Ｂによって読み取られたＲＦＩＤタグ１１又は１２のＩＤを元に得られるＲＦＩＤリーダ２Ａ，２Ｂ，３Ａ又は３Ｂの位置情報に基づき管理アイテム１の所在位置を管理するようにする。【選択図】  図２
2006244338.tif 000002
【特許請求の範囲】
【請求項１】
管理アイテムのアイテム情報を、前記管理アイテムに付与されるパッシブタイプ及びアクティブタイプのデータキャリアのキャリア情報と、これらのキャリア情報を読み取るパッシブタイプ及びアクティブタイプの読取手段の位置情報を含む機種情報との組に紐付けして管理し、
高度なセキュリティを要しない通常エリアに配置される前記パッシブタイプの読取手段及び／又は高度なセキュリティを要する監視エリアに配置される前記アクティブタイプの読取手段によって読み取られたキャリア情報を元に得られるいずれかの前記読取手段の位置情報に基づき前記管理アイテムの所在位置を管理する
ことを特徴とする所在位置管理方法。
【請求項２】
読み取られたいずれかの前記キャリア情報を元に、紐付けされた前記アイテム情報を識別する
ことを特徴とする請求項１に記載の所在位置管理方法。
【請求項３】
前記キャリア情報及び機種情報を収集して通知することを特徴とする請求項１又は２に記載の所在位置管理方法。
【請求項４】
前記読取手段に割り当てたＩＤをキーとする機種タイプと位置情報とを機種タイプ変換テーブルに格納し、
前記機種タイプ及び前記キャリア情報をキーとする前記管理アイテムのアイテム情報を管理アイテム変換テーブルに格納し、
前記アイテム情報をキーとする位置情報を位置情報管理テーブルに格納する
ことを特徴とする請求項１〜３のいずれかに記載の所在位置管理方法。
【請求項５】
前記読取手段のＩＤを元に前記機種タイプ変換テーブルから機種タイプと位置情報とを取得し、
取得された前記機種タイプ及び位置情報と前記アイテム情報とを元に前記管理アイテム変換テーブルから前記管理アイテムのアイテム情報を取得し、
取得された前記アイテム情報と位置情報とを前記位置情報管理テーブルに記録する
ことを特徴とする請求項４に記載の所在位置管理方法。
【請求項６】
前記読取手段のＩＤ、機種タイプ及び位置情報と、前記キャリア情報及びアイテム情報との登録を受け付け、
前記読取手段のＩＤ、機種タイプ及び位置情報を、前記機種タイプ変換テーブルに登録し、
前記アイテム情報及びキャリア情報を、前記管理アイテム変換テーブルに登録する
ことを特徴とする請求項４又は５に記載の所在位置管理方法。
【請求項７】
解除すべき少なくとも前記読取手段のＩＤと前記アイテム情報との入力を受け付け、
前記読取手段のＩＤを元に前記機種タイプ変換テーブルから該当する前記読取手段のＩＤ、機種タイプ及び位置情報を削除し、
前記アイテム情報を元に前記管理アイテム変換テーブルから該当する前記アイテム情報及びキャリア情報を削除する
ことを特徴とする請求項６に記載の所在位置管理方法。
【請求項８】
高度なセキュリティを要しない通常エリアに配置され、管理アイテムに付与されるパッシブタイプのデータキャリアのキャリア情報を読み取るパッシブタイプの読取手段と、
高度なセキュリティを要する監視エリアに配置され、前記管理アイテムに付与されるアクティブタイプのデータキャリアのキャリア情報を読み取るアクティブタイプの読取手段と、
前記管理アイテムのアイテム情報を、前記データキャリアのキャリア情報と前記読取手段の位置情報を含む機種情報との組に紐付けして管理し、読み取られたいずれかの前記キャリア情報を元に得られるいずれかの前記読取手段の位置情報に基づき前記管理アイテムの所在位置を管理する情報管理サーバとを備える
ことを特徴とする所在位置管理システム。
【請求項９】
遠隔型パッシブタイプのデータキャリアのキャリア情報を読み取る遠隔型パッシブタイプの読取手段を備えることを特徴とする請求項８に記載の所在位置管理システム。
【請求項１０】
前記情報管理サーバは、読み取られたいずれかの前記キャリア情報を元に、紐付けされた前記アイテム情報を識別することを特徴とする請求項８又は９に記載の所在位置管理システム。
【請求項１１】
前記読取手段からのキャリア情報及び機種情報を収集して前記情報管理サーバに通知する情報収集装置を備えることを特徴とする請求項８〜１０のいずれかに記載の所在位置管理システム。
【請求項１２】
前記情報管理サーバは、
前記読取手段に割り当てたＩＤをキーとする機種タイプと位置情報とを格納する機種タイプ変換テーブルと、
前記機種タイプ及び前記キャリア情報をキーとする前記管理アイテムのアイテム情報を格納する管理アイテム変換テーブルと、
前記アイテム情報をキーとする位置情報を格納する位置情報管理テーブルとを備える
ことを特徴とする請求項８〜１１のいずれかに記載の所在位置管理システム。
【請求項１３】
前記情報管理サーバは、
前記読取手段のＩＤを元に前記機種タイプ変換テーブルから機種タイプと位置情報とを取得する機種タイプ取得手段と、
取得された前記機種タイプ及び位置情報と前記アイテム情報とを元に前記管理アイテム変換テーブルから前記管理アイテムのアイテム情報を取得する管理アイテム取得手段と、
取得された前記アイテム情報と位置情報とを前記位置情報管理テーブルに記録する位置情報記録手段とを備える
ことを特徴とする請求項１２に記載の所在位置管理システム。
【請求項１４】
前記読取手段のＩＤ、機種タイプ及び位置情報と、前記キャリア情報及びアイテム情報とを登録するマッピング登録手段を有するマッピング登録装置を備え、
前記情報管理サーバは、前記読取手段のＩＤ、機種タイプ及び位置情報を、前記機種タイプ変換テーブルに登録し、前記アイテム情報及びキャリア情報を、前記管理アイテム変換テーブルに登録する登録手段を有する
ことを特徴とする請求項１２又は１３に記載の所在位置管理システム。
【請求項１５】
前記マッピング登録装置は、解除すべき少なくとも前記読取手段のＩＤと前記アイテム情報とを入力するマッピング解除入力手段を有し、
前記情報管理サーバは、前記読取手段のＩＤを元に前記機種タイプ変換テーブルから該当する前記読取手段のＩＤ、機種タイプ及び位置情報を削除し、前記アイテム情報を元に前記管理アイテム変換テーブルから該当する前記アイテム情報及びキャリア情報を削除するマッピング解除手段を有する
ことを特徴とする請求項１４に記載の所在位置管理システム。
【請求項１６】
前記データキャリアは、ＲＦＩＤタグ又はＩＣカードであることを特徴とする請求項８〜１５のいずれかに記載の所在位置管理システム。
【請求項１７】
データキャリアのキャリア情報を読み取る読取手段に割り当てたＩＤをキーとする機種タイプと位置情報とを格納する機種タイプ変換テーブルと、
前記機種タイプ及び前記キャリア情報をキーとする管理アイテムのアイテム情報を格納する管理アイテム変換テーブルと、
前記アイテム情報をキーとする位置情報を格納する位置情報管理テーブルとを備える
ことを特徴とする情報管理サーバ。
【請求項１８】
前記読取手段のＩＤを元に前記機種タイプ変換テーブルから機種タイプと位置情報とを取得する機種タイプ取得手段と、
取得された前記機種タイプ及び位置情報と前記アイテム情報とを元に前記管理アイテム変換テーブルから前記管理アイテムのアイテム情報を取得する管理アイテム取得手段と、
取得された前記アイテム情報と位置情報とを前記位置情報管理テーブルに記録する位置情報記録手段とを備える
ことを特徴とする請求項１７に記載の情報管理サーバ。
【発明の詳細な説明】
【技術分野】
【０００１】
本発明は、機種及び特性の異なる複数のＲＦＩＤタグ等のデータキャリアを管理対象とする管理アイテム（人、物）に付与し、検出方式の異なるリーダでデータキャリアのキャリア情報を読み取った場合であっても、統一的に管理対象の所在位置を管理する所在位置管理方法、所在位置管理システム及び情報管理サーバに関する。
【背景技術】
【０００２】
従来の管理対象とする管理アイテム（人、物）の所在位置を管理するシステムでは、管理対象とする管理アイテム（人、物）に対し、パッシブタイプ又はアクティブタイプのどちらかのＲＦＩＤタグを添付して所在位置情報を管理していた。
【０００３】
ところが、パッシブタイプのＲＦＩＤタグのみを添付した場合、読取距離が短いために、そのＲＦＩＤタグをＲＦＩＤリーダにかざすか、もしくは通信領域まで近づける必要があることから、パッシブタイプのＲＦＩＤタグだけではリアルタイムに所在位置を管理することができない。
【０００４】
この場合、アクティブタイプのＲＦＩＤタグのみを添付することで、アクティブタイプのＲＦＩＤリーダによる読取距離が長くなるため、リアルタイムに所在位置を管理することができるが、アクティブタイプのＲＦＩＤタグ及びＲＦＩＤリーダはパッシブタイプと比較して単価が高いために、システムの構築費用が高くなってしまう。
【０００５】
また、管理アイテム（人、物）の所在位置を管理するシステムでは、単一機種のＲＦＩＤタグの取り扱いに限定されるため、旧機種のＲＦＩＤリーダから新機種のＲＦＩＤリーダに移行しようとすると、システムを停止させなければならないばかりか、新機種対応のＲＦＩＤタグへの交換が必要となってしまう。
【０００６】
管理アイテム（人、物）の所在位置を管理するシステムとして、特許文献１では、探索者が、同じグループに属する被探索者の所在場所を知るために、データキャリアのユニークＩＤを読み取らせ、対応するグループＩＤが抽出されると、基地局により、グループＩＤが施設内に放送され、同じグループＩＤを含むユニークＩＤを有する被探索者のデータキャリアからの返信を受けると、返信を受けた基地局の位置情報が探索結果として端末の画面に表示されるようにすることで、施設の入場者の所在場所を探索できるようにした探索システムを提案している。
【０００７】
また、特許文献２では、コントローラにデータキャリアのプロトコルを登録しておき、データキャリアには自己のプロトコルの種別情報を記録しておき、通信開始時にコントローラがデータキャリアの種別情報を読み出して対応するプロトコル種別を選択し、その選択されたプロトコルに従って対応するデータキャリアとの通信を行うことで、複数のデータキャリアとの通信を可能とした通信制御方式を提案している。
【特許文献１】特開２０００−１８７７９４号公報
【特許文献２】特開昭６３−２２８８５２号公報
【発明の開示】
【発明が解決しようとする課題】
【０００８】
ところが、上述した特許文献１では、データキャリアのユニークＩＤとデータキャリアが添付された管理アイテムである被探索者が所属するグループのグループＩＤとを紐付けするようにしているため、同じグループＩＤを含むユニークＩＤを有する被探索者の探索が可能であるが、データキャリアのユニークＩＤと管理アイテムとの紐付けによる管理が行われないため、エリアのセキュリティレベルに応じた管理アイテムの所在位置の管理を行うことはできない。
【０００９】
また、特許文献２では、コントローラにデータキャリアのプロトコルを登録しておき、データキャリアには自己のプロトコルの種別情報を記録しておくことで、複数のデータキャリアとの通信が可能となるが、上記同様に、データキャリアの識別情報と管理アイテム（人、物）との紐付けによる管理が行われないため、エリアのセキュリティレベルに応じた管理アイテムの所在位置の管理を行うことはできない。
【００１０】
本発明は、このような状況に鑑みてなされたものであり、エリアのセキュリティレベルに応じた管理アイテムの所在位置の管理を確実に行うことができる所在位置管理方法、所在位置管理システム及び情報管理サーバを提供することを目的とする。
【課題を解決するための手段】
【００１１】
本発明の所在位置管理方法は、管理アイテムのアイテム情報を、前記管理アイテムに付与されるパッシブタイプ及びアクティブタイプのデータキャリアのキャリア情報と、これらのキャリア情報を読み取るパッシブタイプ及びアクティブタイプの読取手段の位置情報を含む機種情報との組に紐付けして管理し、高度なセキュリティを要しない通常エリアに配置される前記パッシブタイプの読取手段及び／又は高度なセキュリティを要する監視エリアに配置される前記アクティブタイプの読取手段によって読み取られたキャリア情報を元に得られるいずれかの前記読取手段の位置情報に基づき前記管理アイテムの所在位置を管理することを特徴とする。
また、読み取られたいずれかの前記キャリア情報を元に、紐付けされた前記アイテム情報を識別するようにすることができる。
また、前記キャリア情報及び機種情報を収集して通知するようにすることができる。
また、前記読取手段に割り当てたＩＤをキーとする機種タイプと位置情報とを機種タイプ変換テーブルに格納し、前記機種タイプ及び前記キャリア情報をキーとする前記管理アイテムのアイテム情報を管理アイテム変換テーブルに格納し、前記アイテム情報をキーとする位置情報を位置情報管理テーブルに格納するようにすることができる。
また、前記読取手段のＩＤを元に前記機種タイプ変換テーブルから機種タイプと位置情報とを取得し、取得された前記機種タイプ及び位置情報と前記アイテム情報とを元に前記管理アイテム変換テーブルから前記管理アイテムのアイテム情報を取得し、取得された前記アイテム情報と位置情報とを前記位置情報管理テーブルに記録するようにすることができる。
また、前記読取手段のＩＤ、機種タイプ及び位置情報と、前記キャリア情報及びアイテム情報との登録を受け付け、前記読取手段のＩＤ、機種タイプ及び位置情報を、前記機種タイプ変換テーブルに登録し、前記アイテム情報及びキャリア情報を、前記管理アイテム変換テーブルに登録するようにすることができる。
また、解除すべき少なくとも前記読取手段のＩＤと前記アイテム情報との入力を受け付け、前記読取手段のＩＤを元に前記機種タイプ変換テーブルから該当する前記読取手段のＩＤ、機種タイプ及び位置情報を削除し、前記アイテム情報を元に前記管理アイテム変換テーブルから該当する前記アイテム情報及びキャリア情報を削除するようにすることができる。
本発明の所在位置管理システムは、高度なセキュリティを要しない通常エリアに配置され、管理アイテムに付与されるパッシブタイプのデータキャリアのキャリア情報を読み取るパッシブタイプの読取手段と、高度なセキュリティを要する監視エリアに配置され、前記管理アイテムに付与されるアクティブタイプのデータキャリアのキャリア情報を読み取るアクティブタイプの読取手段と、前記管理アイテムのアイテム情報を、前記データキャリアのキャリア情報と前記読取手段の位置情報を含む機種情報との組に紐付けして管理し、読み取られたいずれかの前記キャリア情報を元に得られるいずれかの前記読取手段の位置情報に基づき前記管理アイテムの所在位置を管理する情報管理サーバとを備えることを特徴とする。
また、遠隔型パッシブタイプのデータキャリアのキャリア情報を読み取る遠隔型パッシブタイプの読取手段を備えるようにすることができる。
また、前記情報管理サーバは、読み取られたいずれかの前記キャリア情報を元に、紐付けされた前記アイテム情報を識別するようにすることができる。
また、前記読取手段からのキャリア情報及び機種情報を収集して前記情報管理サーバに通知する情報収集装置を備えるようにすることができる。
また、前記情報管理サーバは、前記読取手段に割り当てたＩＤをキーとする機種タイプと位置情報とを格納する機種タイプ変換テーブルと、前記機種タイプ及び前記キャリア情報をキーとする前記管理アイテムのアイテム情報を格納する管理アイテム変換テーブルと、前記アイテム情報をキーとする位置情報を格納する位置情報管理テーブルとを備えるようにすることができる。
また、前記情報管理サーバは、前記読取手段のＩＤを元に前記機種タイプ変換テーブルから機種タイプと位置情報とを取得する機種タイプ取得手段と、取得された前記機種タイプ及び位置情報と前記アイテム情報とを元に前記管理アイテム変換テーブルから前記管理アイテムのアイテム情報を取得する管理アイテム取得手段と、取得された前記アイテム情報と位置情報とを前記位置情報管理テーブルに記録する位置情報記録手段とを備えるようにすることができる。
また、前記読取手段のＩＤ、機種タイプ及び位置情報と、前記キャリア情報及びアイテム情報とを登録するマッピング登録手段を有するマッピング登録装置を備え、前記情報管理サーバは、前記読取手段のＩＤ、機種タイプ及び位置情報を、前記機種タイプ変換テーブルに登録し、前記アイテム情報及びキャリア情報を、前記管理アイテム変換テーブルに登録する登録手段を有するようにすることができる。
また、前記マッピング登録装置は、解除すべき少なくとも前記読取手段のＩＤと前記アイテム情報とを入力するマッピング解除入力手段を有し、前記情報管理サーバは、前記読取手段のＩＤを元に前記機種タイプ変換テーブルから該当する前記読取手段のＩＤ、機種タイプ及び位置情報を削除し、前記アイテム情報を元に前記管理アイテム変換テーブルから該当する前記アイテム情報及びキャリア情報を削除するマッピング解除手段を有するようにすることができる。
また、前記データキャリアは、ＲＦＩＤタグ又はＩＣカードであるようにすることができる。
本発明の情報管理サーバは、データキャリアのキャリア情報を読み取る読取手段に割り当てたＩＤをキーとする機種タイプと位置情報とを格納する機種タイプ変換テーブルと、前記機種タイプ及び前記キャリア情報をキーとする管理アイテムのアイテム情報を格納する管理アイテム変換テーブルと、前記アイテム情報をキーとする位置情報を格納する位置情報管理テーブルとを備えることを特徴とする。
また、前記読取手段のＩＤを元に前記機種タイプ変換テーブルから機種タイプと位置情報とを取得する機種タイプ取得手段と、取得された前記機種タイプ及び位置情報と前記アイテム情報とを元に前記管理アイテム変換テーブルから前記管理アイテムのアイテム情報を取得する管理アイテム取得手段と、取得された前記アイテム情報と位置情報とを前記位置情報管理テーブルに記録する位置情報記録手段とを備えるようにすることができる。
本発明の所在位置管理方法、所在位置管理システム及び情報管理サーバでは、管理アイテムのアイテム情報が、管理アイテムに付与されるパッシブタイプ及びアクティブタイプのデータキャリアのキャリア情報と、これらのキャリア情報を読み取るパッシブタイプ及びアクティブタイプの読取手段の位置情報を含む機種情報との組に紐付けして管理され、高度なセキュリティを要しない通常エリアに配置されるパッシブタイプの読取手段及び／又は高度なセキュリティを要する監視エリアに配置されるアクティブタイプの読取手段によって読み取られたキャリア情報を元に得られるいずれかの読取手段の位置情報に基づき管理アイテムの所在位置が管理される。
【発明の効果】
【００１２】
本発明によれば、管理アイテムのアイテム情報が、管理アイテムに付与されるパッシブタイプ及びアクティブタイプのデータキャリアのキャリア情報と、これらのキャリア情報を読み取るパッシブタイプ及びアクティブタイプの読取手段の位置情報を含む機種情報との組に紐付けして管理され、高度なセキュリティを要しない通常エリアに配置されるパッシブタイプの読取手段及び／又は高度なセキュリティを要する監視エリアに配置されるアクティブタイプの読取手段によって読み取られたキャリア情報を元に得られるいずれかの読取手段の位置情報に基づき管理アイテムの所在位置が管理されるので、エリアのセキュリティレベルに応じた管理アイテムの所在位置の管理を確実に行うことができる。
【発明を実施するための最良の形態】
【００１３】
管理アイテムのアイテム情報を、管理アイテムに付与されるパッシブタイプ及びアクティブタイプのデータキャリアのキャリア情報と、これらのキャリア情報を読み取るパッシブタイプ及びアクティブタイプの読取手段の位置情報を含む機種情報との組に紐付けして管理し、高度なセキュリティを要しない通常エリアに配置されるパッシブタイプの読取手段及び／又は高度なセキュリティを要する監視エリアに配置されるアクティブタイプの読取手段によって読み取られたキャリア情報を元に得られるいずれかの読取手段の位置情報に基づき管理アイテムの所在位置を管理することで、エリアのセキュリティレベルに応じた管理アイテムの所在位置の管理を確実に行うようにした。
【実施例】
【００１４】
以下、本発明の詳細を図面に基づいて説明する。
（実施形態１）
図１は、本発明の所在位置管理システムの実施形態１に係る基本構成を示すブロック図、図２は、図１の所在位置管理システムの運用形態を示すブロック図、図３及び図４は、図１及び図２の所在位置管理システムにおける所在位置管理方法を説明するためのフローチャートである。
【００１５】
図１に示す所在位置管理システム（以下、適宜、システムという）は、所在位置管理対象となる管理アイテム１の所在位置を管理するものであり、パッシブタイプのＲＦＩＤリーダ２と、アクティブタイプのＲＦＩＤリーダ３と、ＲＦＩＤリーダ２，３を制御して検知情報を受け取る情報収集装置４と、情報収集装置４から受信した情報を基に位置情報に変換する情報管理サーバ５と、情報管理サーバ５の処理に必要なマッピング情報を入力するマッピング登録装置６とを備えている。
【００１６】
管理アイテム１は、人又は物であり、データキャリアである、パッシブタイプのＲＦＩＤタグ１１とアクティブタイプのＲＦＩＤタグ１２とが付与される。読取手段としてのパッシブタイプのＲＦＩＤリーダ２は、パッシブタイプのＲＦＩＤタグ１１からの情報の読み取りを行う。
【００１７】
読取手段としてのアクティブタイプのＲＦＩＤリーダ３は、アクティブタイプのＲＦＩＤタグ１２からの情報の読み取りを行う。
【００１８】
情報収集装置４は、ＲＦＩＤリーダ２又は３で読み取られたＲＦＩＤタグ１１又は１２のキャリア情報としてのＩＤを読み込むＩＤ読込手段４１と、ＩＤ読込手段４１によって読み込まれたＲＦＩＤタグ１１又は１２のＩＤ及びＲＦＩＤリーダ２又は３のＩＤを通知する検知情報通知手段４２とを有している。
【００１９】
ここで、ＩＤ読込手段４１が接続されているＲＦＩＤリーダ２又は３が検知したＲＦＩＤタグ１１又は１２のＩＤとＲＦＩＤリーダ２又は３のＩＤを検知情報通知手段４２に送ると、検知情報通知手段４２がＩＤ読込手段４１から受け取ったデータを情報管理サーバ５の検知情報収集手段５２へ送る。
【００２０】
情報管理サーバ５は、データベース５１と、検知情報収集手段５２と、機種タイプ取得手段５３と、管理アイテム識別ＩＤ取得手段５４と、位置情報記録手段５５と、マッピング登録手段５６とを有している。
【００２１】
データベース５１は、機種タイプ変換テーブル５１１と、管理アイテム識別ＩＤ変換テーブル５１２と、位置情報管理テーブル５１３とを有している。
【００２２】
機種タイプ変換テーブル５１１は、システムで一意に割当てられたＲＦＩＤリーダ２，３のＩＤをキーとする機種タイプと位置情報とを格納している。
【００２３】
管理アイテム識別ＩＤ変換テーブル５１２は、機種タイプ、ＲＦＩＤタグ１１，１２のＩＤをキーとするシステムで一意に割当てられた管理アイテム１のアイテム情報としての識別ＩＤを格納している。
【００２４】
位置情報管理テーブル５１３は、管理アイテム１の識別ＩＤをキーとする位置情報を格納している。
【００２５】
検知情報収集手段５２は、情報収集装置４からの情報を受け付ける。機種タイプ取得手段５３は、ＲＦＩＤリーダ２，３のＩＤを元に機種タイプ変換テーブル５１１から機種タイプと位置情報とを取得する。
【００２６】
管理アイテム取得手段としての管理アイテム識別ＩＤ取得手段５４は、取得された機種タイプ及び位置情報と管理アイテム１の識別ＩＤとを元に管理アイテム識別ＩＤ変換テーブル５１２から管理アイテム１の識別ＩＤを取得する。
【００２７】
位置情報記録手段５５は、取得された管理アイテム１の識別ＩＤとＲＦＩＤリーダ２，３の位置情報とを位置情報管理テーブル５１３に記録する。
【００２８】
登録手段としてのマッピング登録手段５６は、後述するように、マッピング登録装置６のマッピング登録入力手段６１からの情報を受け取って該当するテーブルに格納する。
【００２９】
ここで、検知情報収集手段５２が情報収集装置４の検知情報通知手段４２から受け取ったデータを機種タイプ取得手段５３へ送ると、機種タイプ取得手段５３がＲＦＩＤリーダ２，３のＩＤをキーとして機種タイプ変換テーブル５１１を検索し、検索によって取得した機種タイプと位置情報とをＲＦＩＤタグ１１，１２のＩＤと共に管理アイテム識別ＩＤ取得手段５４に送る。
【００３０】
管理アイテム識別ＩＤ取得手段５４が機種タイプ、ＲＦＩＤタグ１１，１２のＩＤをキーとし管理アイテム識別ＩＤ変換テーブル５１２を検索して取得した管理アイテム１の識別ＩＤを位置情報と共に位置情報記録手段５５に送ると、位置情報記録手段５５が管理アイテム１の識別ＩＤをキーとして位置情報と共に位置情報管理テーブル５１３に格納する。
【００３１】
このとき、マッピング登録手段５６がマッピング登録装置６のマッピング登録入力手段６１から次の情報を受け取って該当するテーブルに格納する。つまり、ＲＦＩＤリーダ２，３のＩＤ、機種タイプ、位置情報を受け取ると、それらを機種タイプ変換テーブル５１１に格納する。
【００３２】
また、機種タイプ、ＲＦＩＤタグ１１，１２のＩＤ、管理アイテム１の識別ＩＤを受け取ると、それらを管理アイテム識別ＩＤ変換テーブル５１２に格納する。
【００３３】
マッピング登録装置６は、マッピング登録入力手段６１を有している。マッピング登録入力手段６１は、次の（１），（２）の情報のいずれかをキーボード等の入力デバイスから受け取って情報管理サーバ５のマッピング登録手段５６へ送る。
（１）ＲＦＩＤリーダ２，３のＩＤ、機種タイプ、位置情報
（２）機種タイプ、ＲＦＩＤタグ１１，１２、管理アイテムの識別ＩＤ
【００３４】
次に、図１の所在位置管理システムの運用形態を、図２を用いて説明する。
なお、以下の説明において、ＲＦＩＤリーダ２Ａ，２Ｂは、図１のＲＦＩＤリーダ２と同じものであり、ＲＦＩＤリーダ３Ａ，３Ｂは、図１のＲＦＩＤリーダ３と同じものであり、情報収集装置４Ａ，４Ｂ，４Ｃ，４Ｄは、図１の情報収集装置４と同じものである。
【００３５】
同図に示す運用形態では、通常エリア７と、監視エリア８とを区分けしている。通常エリア７には、パッシブタイプのＲＦＩＤリーダ２Ａ，２Ｂと、ＲＦＩＤリーダ２Ａ，２Ｂを制御して検知情報を受け取る情報収集装置４Ａ，４Ｂと、マッピング登録装置６とが配置され、管理アイテム１の所在位置が管理される。
【００３６】
監視エリア８には、アクティブタイプのＲＦＩＤリーダ３Ａ，３Ｂと、ＲＦＩＤリーダ３Ａ，３Ｂを制御して検知情報を受け取る情報収集装置４Ｃ，４Ｄと、マッピング登録装置６とが配置され、管理アイテム１の所在位置が管理される。
【００３７】
次に、所在位置管理方法について説明する。
まず、運用前の準備段階のシステムの動作について説明する。なお、システムでの管理対象と、その管理対象の所在位置を管理する通常エリア７の分割と、常時監視を行う監視エリア８の決定は事前に行われているものとする。
【００３８】
通常エリア７と監視エリア８の区別は高度なセキュリティを要するかどうかで判断し、図２のように通常エリア７では近接型もしくは近傍型のＲＦＩＤリーダ２Ａ，２Ｂを設置し、監視エリア８では遠隔型のＲＦＩＤリーダ３Ａ，３Ｂを設置するものとする。
【００３９】
図３に示すように、最初に管理対象となる人や物で未登録の管理アイテム１が存在する場合、システムで一意となる管理アイテム１の識別ＩＤを採番して割り当てる（ステップＡ１，Ａ２）。
【００４０】
次に、管理アイテム１にパッシブタイプのＲＦＩＤタグ１１を添付する（ステップＡ３）。ここで使用するＲＦＩＤタグ１１は、読取距離が数ｍｍ〜数ｍの近接型もしくは近傍型を使用し、ＲＦＩＤリーダ２Ａ又は２Ｂにかざすか、もしくはＲＦＩＤリーダ２Ａ又は２Ｂの通信領域まで近づいて読み取らせるタイプである。なお、パッシブタイプのＲＦＩＤタグ１１の代わりに接触型／非接触型のＩＣカードを適用してもよい。
【００４１】
次に、ステップＡ２で採番した管理アイテム１の識別ＩＤと、ステップＡ３で添付したＲＦＩＤタグ１１のＩＤと、機種タイプとの組をマッピング登録装置６のマッピング登録入力手段６１にて入力する。
【００４２】
このとき、マッピング登録入力手段６１により、入力された情報が情報管理サーバ５のマッピング登録手段５６に送られると、マッピング登録手段５６により、機種タイプ、ＲＦＩＤタグ１１のＩＤをキーとした管理アイテム１の識別ＩＤと共に管理アイテム識別ＩＤ変換テーブル５１２に格納される。
【００４３】
既に管理アイテム識別ＩＤ変換テーブル５１２において機種タイプ、ＲＦＩＤタグ１１のＩＤのレコードが存在する場合、該当レコードの管理アイテム１の識別ＩＤが受け取った情報で更新される（ステップＡ４）。
【００４４】
次に、管理アイテム１にアクティブタイプのＲＦＩＤタグ１２を添付する（ステップＡ５）。ここで使用するＲＦＩＤタグ１２は、読取距離が数ｍ〜数十ｍの遠隔型を使用し、ＲＦＩＤリーダ３Ａ又は３Ｂの検知範囲内にＲＦＩＤタグ１２が入ると自動的に認識されるタイプである。なお、アクティブタイプのＲＦＩＤタグ１２とＲＦＩＤリーダ３Ａ，３Ｂの代わりに、読取距離の長い遠隔型パッシブタイプのＲＦＩＤタグとリーダを適用してもよい。
【００４５】
次に、ステップＡ２で採番した管理アイテム１の識別ＩＤと、ステップＡ５で添付したＲＦＩＤタグ１２のＩＤと、機種タイプの組とをマッピング登録装置６のマッピング登録入力手段６１にて入力する。
【００４６】
このとき、マッピング登録入力手段６１により、入力された情報が情報管理サーバ５のマッピング登録手段５６に送られると、マッピング登録手段５６により機種タイプ、ＲＦＩＤタグのＩＤをキーとした管理アイテム１の識別ＩＤと共に管理アイテム識別ＩＤ変換テーブル５１２に格納される。
【００４７】
既に管理アイテム識別ＩＤ変換テーブル５１２において入力した機種タイプ、ＲＦＩＤタグ１２のＩＤのレコードが存在する場合、該当レコードの管理アイテム１の識別ＩＤのみが受け取った情報で更新される（ステップＡ６）。
【００４８】
以上のステップＡ１〜Ａ６を、管理対象となる人や物で未登録のものがなくなるまで繰り返す。
【００４９】
次に、システムで使用するＲＦＩＤリーダ２Ａ，２Ｂ，３Ａ，３Ｂで未登録のものが存在する場合、システムで一意となるＲＦＩＤリーダ２Ａ，２Ｂ，３Ａ，３ＢのＩＤを採番して割り当てる（ステップＡ７、Ａ８）。
【００５０】
次に、ステップＡ８で採番したＲＦＩＤリーダ２Ａ，２Ｂ，３Ａ，３ＢのＩＤと、使用する機種タイプと、設置場所等の位置情報との組をマッピング登録装置６のマッピング登録入力手段６１にて入力する。
【００５１】
このとき、マッピング登録入力手段６１により、入力された情報が情報管理サーバ５のマッピング登録手段５６に送られると、マッピング登録手段５６がＲＦＩＤリーダ２Ａ，２Ｂ，３Ａ，３ＢのＩＤをキーとして機種タイプと位置情報とを共に機種タイプ変換テーブル５１１に格納する。
【００５２】
機種タイプ変換テーブル５１１において入力したＲＦＩＤリーダ２Ａ，２Ｂ，３Ａ，３ＢのＩＤのレコードが存在する場合、該当レコードの機種タイプと位置情報とが受け取った情報で更新される（ステップＡ９）。
【００５３】
次に、運用状態の所在位置管理システムの動作について説明する。
まず、図４に示すように、管理アイテム１が通常エリア７に存在する場合、そのエリアで一番近いＲＦＩＤリーダ２Ａ又は２ＢによりＲＦＩＤタグ１１を読み込ませることにより、ＲＦＩＤタグ１１のＩＤが情報収集装置４Ａ又は４ＢのＩＤ読込手段４１に渡される（ステップＢ１，Ｂ２）。
【００５４】
ここで、ＲＦＩＤリーダ２Ａ又は２Ｂを、建物や部屋の入口近辺に設置するものとしたとき、管理アイテム１が物の場合は運搬者が、管理アイテム１が人の場合は所持してる人が入口を通過するときにＲＦＩＤタグ１１をＲＦＩＤリーダ２Ａ又は２Ｂにかざすか、もしくはＲＦＩＤリーダ２Ａ又は２Ｂの通信領域まで近づくことにより検知される。
【００５５】
次に、管理アイテム１が監視エリア８に存在する場合、一番近いＲＦＩＤリーダ３Ａ又は３ＢによりＲＦＩＤリーダタグ１２が検知されて、ＲＦＩＤタグ１２のＩＤが情報収集装置４Ｃ又は４ＤのＩＤ読込手段４１に渡される（ステップＢ３，Ｂ４）。
【００５６】
ここで、ＲＦＩＤリーダ３Ａ又は３Ｂを、建物や部屋の中に設置するものとしたとき、管理アイテム１がＲＦＩＤリーダ３Ａ又は３Ｂの通信領域内にある間は自動的に検知される。
【００５７】
次に、ステップＢ２又はＢ４で検知したＲＦＩＤリーダ２Ａ，２Ｂ，３Ａ又は３ＢのＩＤとＲＦＩＤタグ１１又は１２のＩＤを、いずれかの情報収集装置４Ａ〜４Ｄの検知情報通知手段４２から情報管理サーバ５の検知情報収集手段５２に通知する（ステップＢ５）。このとき、検知時刻や検知時の電界強度等の付加情報も含めて通知してもよい。
【００５８】
次に、検知情報収集手段５２により、受け取った情報の全てが機種タイプ取得手段５３に渡されると、機種タイプ取得手段５３により、ＲＦＩＤリーダ２Ａ，２Ｂ，３Ａ又は３ＢのＩＤをキーとして機種タイプ変換テーブル５１１が検索される。
【００５９】
そして、一致するレコードが存在する場合、機種タイプと位置情報とを取得し、検知情報収集手段５２から受け取った情報と共に管理アイテム識別ＩＤ取得手段５４に渡され、一致するレコードが存在しない場合、処理を中断してＲＦＩＤリーダ２Ａ，２Ｂ，３Ａ又は３ＢがＲＦＩＤタグ１１又は１２を検出するのを待つ（ステップＢ６、Ｂ７）。
【００６０】
次に、管理アイテム識別ＩＤ取得手段５４により、機種タイプ、ＲＦＩＤタグ１１又は１２のＩＤをキーとして管理アイテム識別ＩＤ変換テーブル５１２が検索される。そして、一致するレコードが存在する場合、管理アイテム１の識別ＩＤを取得し、機種タイプ取得手段５３から受け取った情報と共に位置情報記録手段５５に渡され、一致するレコードが存在しない場合、処理を中断してＲＦＩＤリーダがＲＦＩＤタグを検出するのを待つ（ステップＢ８、Ｂ９）。
【００６１】
次に、位置情報記録手段５５により、管理アイテム１の識別ＩＤをキーとして位置情報と共に位置情報管理テーブル５１３に格納される（ステップＢ１０）。このとき、ＲＦＩＤリーダ２Ａ，２Ｂ，３Ａ又は３ＢのＩＤ、ＲＦＩＤタグ１１又は１２のＩＤ、検知時刻や検知時の電界強度等の付加情報も同時に格納することも可能である。また、検知時刻をキーとして管理アイテム１の識別ＩＤと位置情報とを位置情報管理テーブル５１３とは別のテーブルに格納しログとして活用することも可能である。
【００６２】
以上のステップＢ１〜Ｂ１０を、システムを停止するまで繰り返す。
【００６３】
このように、実施形態１では、管理アイテム１の識別ＩＤを、管理アイテム１に添付されるパッシブタイプ及びアクティブタイプのＲＦＩＤタグ１１，１２のＩＤと、これらのＩＤを読み取るパッシブタイプ及びアクティブタイプのＲＦＩＤリーダ２Ａ，２Ｂ，３Ａ，３ＢのＩＤをキーとする機種タイプ及び位置情報との組に紐付けして管理し、高度なセキュリティを要しない通常エリア７に配置されるパッシブタイプのＲＦＩＤリーダ２Ａ，２Ｂ又は高度なセキュリティを要する監視エリア８に配置されるアクティブタイプのＲＦＩＤリーダ３Ａ，３Ｂによって読み取られたＲＦＩＤタグ１１又は１２のＩＤを元に得られるＲＦＩＤリーダ２Ａ，２Ｂ，３Ａ又は３Ｂの位置情報に基づき管理アイテム１の所在位置を管理するようにしたので、エリアのセキュリティレベルに応じた管理アイテム１の所在位置の管理を確実に行うことができる。
【００６４】
また、実施形態１では、現在使用しているＲＦＩＤリーダ２Ａ，２Ｂ，３Ａ，３Ｂのいずれかを他の新機種のＲＦＩＤリーダに切り替える場合、ＲＦＩＤリーダ２Ａ，２Ｂ，３Ａ，３Ｂのいずれかを接続している情報収集装置４Ａ〜４Ｄのいずれかに新機種のＲＦＩＤリーダを接続してから、管理アイテム１に添付しているＲＦＩＤタグ１１又は１２を順次、新機種に切り替えていくことにより、管理アイテム１に添付しているＲＦＩＤタグ１１又は１２に旧機種と新機種とが混在していても管理アイテム１の所在位置を管理することができ、性能が向上したＲＦＩＤリーダへの機種変更をシステムを停止することなく行うことができる。
【００６５】
なお、実施形態１では、パッシブタイプのＲＦＩＤリーダ２Ａ，２Ｂ又はアクティブタイプのＲＦＩＤリーダ３Ａ，３Ｂのいずれかの位置情報に基づき管理アイテム１の所在位置を管理する場合について説明したが、たとえばパッシブタイプのＲＦＩＤリーダ２Ａ及びＲＦＩＤリーダ３Ａの位置情報に基づき、管理アイテム１の所在位置の変移の管理が行われることは勿論である。
【００６６】
また、実施形態１では、ＲＦＩＤタグ１１，１２をパッシブタイプとアクティブタイプの２種類とし、ＲＦＩＤリーダ２Ａ，２Ｂ，３Ａ，３Ｂをパッシブタイプとアクティブタイプの２台づつで使用する場合について説明しているが、ＲＦＩＤタグ１１，１２の機種の数やＲＦＩＤリーダ２Ａ，２Ｂ，３Ａ，３Ｂの台数に制限がないことはいうまでもない。
【００６７】
また、情報収集装置４Ａ〜４Ｄの台数についても制限はなく、１台の情報収集装置４Ａ〜４Ｄに複数のＲＦＩＤリーダ２Ａ，２Ｂ，３Ａ，３Ｂを接続することも可能である。同様に、マッピング登録装置６の台数についても制限はなく、さらには情報収集装置４Ａ〜４Ｄにてマッピング登録に関わる同一の機能を実装する構成も可能である。
【００６８】
また、管理アイテム１に添付するＲＦＩＤタグ１１，１２をパッシブタイプのみにして、監視エリア８でのリアルタイム監視を行わない管理アイテム１をシステムに混在させることも可能である。
【００６９】
（実施形態２）
図５は、本発明の所在位置管理システムの実施形態２に係る基本構成を示すブロック図、図６は、図５の所在位置管理システムの運用形態を示すブロック図である。なお、以下に説明する図において、図１及び図２と共通する部分には同一符号を付し重複する説明は適宜行うものとする。
【００７０】
図５に示す所在位置管理システムでは、図１に示した情報収集装置４を省き、さらに図１の情報管理サーバ５の検知情報収集手段５２を、情報収集装置４のＩＤ読込手段４１に置き換えている点で、図１とは構成が異なっている。
【００７１】
また、図６に示す所在位置管理システムの運用形態では、図２に示した通常エリア７と監視エリア８での情報収集装置４Ａ〜４Ｄを省いている点で、図２とは構成が異なっている。
【００７２】
また、図６の構成では、ＲＦＩＤリーダ２Ａ，２ＢとＲＦＩＤリーダ３Ａ，３Ｂとはネットワーク通信のインタフェースを持ち、情報管理サーバ５と直接通信できる機種を適用している。
【００７３】
次に、所在位置管理方法について説明する。
なお、実施形態２での運用前の準備段階のシステムの動作は実施形態１での動作と全く同じであるため、実施形態２では主に運用状態のシステムの動作について、上記の図４を参照して説明する。
【００７４】
図４において、最初に管理アイテム１が通常エリア７に存在する場合、そのエリアで一番近いＲＦＩＤリーダ２Ａ又は２ＢにＲＦＩＤタグ１１を読み込ませることにより、ＲＦＩＤタグ１１のＩＤが情報管理サーバ５のＩＤ読込手段４１に渡される（ステップＢ１，Ｂ２）。
【００７５】
ここで、ＲＦＩＤリーダ２Ａ，２Ｂは建物や部屋の入口近辺に設置し、管理アイテム１が物の場合は運搬者が、管理アイテム１が人の場合は所持してる人が入口を通過するときにＲＦＩＤタグ１１をＲＦＩＤリーダ２Ａ又は２Ｂにかざすか、もしくはＲＦＩＤリーダ２Ａ又は２Ｂの通信領域まで近づくことにより検知されるものとする。
【００７６】
次に、管理アイテム１が監視エリア８に存在する場合、一番近いＲＦＩＤリーダ３Ａ又は３ＢによりＲＦＩＤタグ１２が検知されて、ＲＦＩＤタグ１２のＩＤが図５に示す情報管理サーバ５のＩＤ読込手段４１に渡される（ステップＢ３，Ｂ４）。ここで、ＲＦＩＤリーダ３Ａ又は３Ｂは建物や部屋の中に設置し、管理アイテム１がＲＦＩＤリーダ３Ａ又は３Ｂの通信領域内にある間は自動的に検知されるものとする。
【００７７】
次に、ステップＢ２又はＢ４で検知したいずれかのＲＦＩＤリーダ２Ａ，２Ｂ，３Ａ，３ＢのＩＤと、ＲＦＩＤタグ１１又は１２のＩＤとをＩＤ読込手段４１から機種タイプ取得手段５３に渡す（ステップＢ５）。このとき、検知時刻や検知時の電界強度等の付加情報も含めて通知するようにしてもよい。
【００７８】
次に、機種タイプ取得手段５３により、いずれかのＲＦＩＤリーダ２Ａ，２Ｂ，３Ａ，３ＢのＩＤをキーとして機種タイプ変換テーブル５１１が検索される。そして、一致するレコードが存在する場合は機種タイプと位置情報とが取得され、検知情報収集手段５２から受け取った情報と共に管理アイテム識別ＩＤ取得手段５４に渡される。一致するレコードが存在しない場合、処理を中断していずれかのＲＦＩＤリーダ２Ａ，２Ｂ，３Ａ，３ＢがＲＦＩＤタグ１１又は１２を検出するのを待つ（ステップＢ６，Ｂ７）。
【００７９】
次に、管理アイテム識別ＩＤ取得手段５４により、機種タイプ、ＲＦＩＤタグ１１又は１２のＩＤをキーとして管理アイテム識別ＩＤ変換テーブル５１２が検索される。そして、一致するレコードが存在する場合は管理アイテム１の識別ＩＤが取得され、機種タイプ取得手段５３から受け取った情報と共に位置情報記録手段５５に渡される。一致するレコードが存在しない場合は、処理を中断してＲＦＩＤリーダ２Ａ，２Ｂ，３Ａ，３ＢがＲＦＩＤタグ１１又は１２を検出するのを待つ（ステップＢ８，Ｂ９）。
【００８０】
次に、位置情報記録手段５５により管理アイテム１の識別ＩＤをキーとして位置情報と共に位置情報管理テーブル５１３に格納される（ステップＢ１０）。このとき、ＲＦＩＤリーダ２Ａ，２Ｂ，３Ａ，３ＢのＩＤ、ＲＦＩＤタグ１１又は１２のＩＤ、検知時刻や検知時の電界強度等の付加情報も同時に格納することも可能である。また、検知時刻をキーとして管理アイテム１の識別ＩＤと位置情報とを位置情報管理テーブル５１３とは別のテーブルに格納しログとして活用することも可能である。
【００８１】
以上のステップＢ１〜Ｂ１０を、システムを停止するまで繰り返す。
【００８２】
このように、実施形態２では、実施形態１での作用効果に加え、図１に示した情報収集装置４を省き、さらに図１の情報管理サーバ５の検知情報収集手段５２を、情報収集装置４のＩＤ読込手段４１に置き換え、ＲＦＩＤリーダ２Ａ，２Ｂ，３Ａ，３Ｂを情報管理サーバ５と直接ネットワーク接続する構成としたので、システム構成の簡素化を図ることができる。
【００８３】
なお、実施形態２では、パッシブタイプのＲＦＩＤリーダ２Ａ，２Ｂ又はアクティブタイプのＲＦＩＤリーダ３Ａ，３Ｂのいずれか位置情報に基づき管理アイテム１の所在位置を管理するようにしているが、上記同様に、たとえばパッシブタイプのＲＦＩＤリーダ２Ａ及びＲＦＩＤリーダ３Ａの位置情報に基づき、管理アイテム１の所在位置の変移の管理が行われることは勿論である。
【００８４】
また、実施形態２では、ＲＦＩＤタグ１１，１２をパッシブタイプとアクティブタイプの２種類とし、ＲＦＩＤリーダ２Ａ，２Ｂ，３Ａ，３Ｂをパッシブタイプとアクティブタイプの２台づつで使用する場合について説明しているが、上記同様に、ＲＦＩＤタグ１１，１２の機種の数やＲＦＩＤリーダ２Ａ，２Ｂ，３Ａ，３Ｂの台数に制限がないことはいうまでもない。同様に、マッピング登録装置６の台数についても制限はない。
【００８５】
（実施形態３）
図７は、本発明の所在位置管理システムの実施形態３に係る基本構成を示すブロック図、図８は、図７の所在位置管理システムの運用形態を示すブロック図、図９及び図１０は、図７及び図８の所在位置管理システムにおける所在位置管理方法を説明するためのフローチャートである。
【００８６】
図７に示す所在位置管理システムでは、図１の情報管理サーバ５にマッピング解除手段５７を追加し、同様にマッピング登録装置６にマッピング解除入力手段６２を追加している点で、図１とは構成が異なっている。
【００８７】
このマッピング解除手段５７は、マッピング登録装置６のマッピング解除入力手段６２から次の（１），（２）の情報を受け取り、該当するテーブルから削除する。
（１）入力されたＲＦＩＤリーダ２，３のＩＤを機種タイプ変換テーブル５１１で検索して削除
（２）入力された機種タイプ、ＲＦＩＤタグ１１，１２のＩＤを管理アイテム識別ＩＤ変換テーブル５１２で検索して削除
【００８８】
また、図８に示す所在位置管理システムの運用形態では、図２の監視エリア８にマッピング登録装置６Ｂを追加している点で、図２とは構成が異なっている。
【００８９】
また、実施形態３では、人又は物である管理アイテム１に対し、パッシブタイプのＲＦＩＤタグ１１を常に添付するようにし、アクティブタイプのＲＦＩＤタグ１２については監視エリア８に入るときに添付し、出るときに取り外すようになっている。
【００９０】
次に、所在位置管理方法について説明する。
まず、運用前の準備段階のシステムの動作について説明する。なお、システムでの管理対象と、その管理対象の所在位置を管理するエリアの分割と、常時監視を行うエリアの決定は事前に行われているものとする。
【００９１】
図８での通常エリア７と監視エリア８の区別は高度なセキュリティを要するかどうかで判断し、通常エリア７では近傍型のＲＦＩＤリーダ２Ａ，２Ｂを設置し、監視エリア８では遠隔型のＲＦＩＤリーダ３Ａ，３Ｂを設置するものとする。
【００９２】
図９に示すように、最初に管理対象となる人や物で未登録の管理アイテム１が存在する場合、システムで一意となる管理アイテム１の識別ＩＤを採番して割り当てる（ステップＣ１，Ｃ２）。
【００９３】
次に、管理アイテム１にパッシブタイプのＲＦＩＤタグ１１を添付する（ステップＣ３）。ここで使用するＲＦＩＤタグ１１は、読取距離を数ｍｍ〜数ｍの近接型もしくは近傍型を使用し、ＲＦＩＤリーダ２Ａ又は２Ｂにかざすか、もしくはＲＦＩＤリーダ２Ａ又は２Ｂの通信領域まで近づいて読み取らせるタイプである。なお、パッシブタイプのＲＦＩＤタグ１１の代わりに接触型／非接触型のＩＣカードを適用してもよい。
【００９４】
次に、ステップＣ２で採番した管理アイテム１の識別ＩＤと、ステップＣ３で添付したＲＦＩＤタグ１１のＩＤと、機種タイプとの組をマッピング登録装置６（６Ａ）のマッピング登録入力手段６１にて入力する。
【００９５】
マッピング登録入力手段６１から入力された情報は、情報管理サーバ５のマッピング登録手段５６に送られると、マッピング登録手段５６により機種タイプ、ＲＦＩＤタグ１１のＩＤをキーとして管理アイテム１の識別ＩＤと共に管理アイテム識別ＩＤ変換テーブル５１２に格納される。
【００９６】
管理アイテム識別ＩＤ変換テーブル５１２においてキーが機種タイプ、ＲＦＩＤタグ１１のＩＤのレコードが存在する場合、該当レコードの管理アイテム１の識別ＩＤが受け取った情報で更新される（ステップＣ４）。
【００９７】
以上のステップＣ１〜Ｃ４を、管理対象となる人や物で未登録のものがなくなるまで繰り返す。
【００９８】
次に、システムで使用するＲＦＩＤリーダ２Ａ，２Ｂ，３Ａ，３Ｂで未登録のものが存在する場合、システムで一意となるＲＦＩＤリーダ２Ａ，２Ｂ，３Ａ，３ＢのＩＤを採番して割り当てる（ステップＣ５，Ｃ６）。
【００９９】
次に、ステップＣ６で採番したＲＦＩＤリーダ２Ａ，２Ｂ，３Ａ，３ＢのＩＤと、使用する機種タイプと、設置場所等の位置情報との組をマッピング登録装置６（６Ａ）のマッピング登録入力手段６１にて入力する。
【０１００】
マッピング登録入力手段６１により入力された情報が情報管理サーバ５のマッピング登録手段５６に送られると、マッピング登録手段５６によりＲＦＩＤリーダ２Ａ，２Ｂ，３Ａ，３ＢのＩＤをキーとして機種タイプと位置情報と共に機種タイプ変換テーブル５１１に格納される。
【０１０１】
機種タイプ変換テーブル５１１において入力したＲＦＩＤリーダ２Ａ，２Ｂ，３Ａ，３ＢのＩＤのキーのレコードが存在する場合、該当レコードの機種タイプと位置情報とが受け取った情報で更新される（ステップＣ７）。
【０１０２】
次に、運用状態のシステムの動作について説明する。
実施形態３では、アクティブタイプのＲＦＩＤタグ１２を監視エリア８に入るときに添付してマッピング情報を登録する点と、監視エリア８から出るときに取り外してマッピング情報を解除する点で、実施形態１と異なっている。
【０１０３】
それ以外の実施形態３での運用状態の所在位置管理システムの動作は実施形態１の動作と全く同じであるため、実施形態３では主に管理アイテム１のマッピング情報の登録／削除について説明するものとする。
【０１０４】
また、以下の説明においては、図８のように、監視エリア８の入口等にマッピング登録装置６ＢとアクティブタイプのＲＦＩＤタグ１２とが配置されているものとする。
【０１０５】
まず、図１０に示すように、管理アイテム１が通常エリア７から監視エリア８に入る場合、管理アイテム１にアクティブタイプのＲＦＩＤタグ１２を添付する（ステップＤ１，Ｄ２）。
【０１０６】
次に、マッピング登録装置６Ｂにて管理アイテム１の識別ＩＤと、ステップＤ２で添付したＲＦＩＤタグ１２のＩＤと、機種タイプとの組をマッピング登録装置６Ｂのマッピング登録入力手段６１にて入力する。
【０１０７】
マッピング登録入力手段６１により入力された情報が情報管理サーバ５のマッピング登録手段５６に送られると、マッピング登録手段５６により機種タイプ、ＲＦＩＤタグ１２のＩＤをキーとして管理アイテム１の識別ＩＤと共に管理アイテム識別ＩＤ変換テーブル５１２に格納される。
【０１０８】
このとき、既に管理アイテム識別ＩＤ変換テーブル５１２において入力した機種タイプ、ＲＦＩＤタグ１２のＩＤのキーのレコードが存在する場合、該当レコードの管理アイテム１の識別ＩＤのみが受け取った情報で更新される（ステップＤ３）。そして、管理アイテム１が監視エリア８内を移動すると、図４のステップＢ１〜Ｂ１０の繰り返しでリアルタイムに監視が行われる。
【０１０９】
次に、管理アイテム１が監視エリア８から出る場合、マッピング登録装置６ＢにてＲＦＩＤタグ１２のＩＤと、機種タイプとの組をマッピング登録装置６Ｂのマッピング解除入力手段６２にて入力することで監視終了となる（ステップＤ４）。
【０１１０】
マッピング解除入力手段６２により入力された情報が情報管理サーバ５のマッピング解除手段５７に送られると、マッピング解除手段５７により、機種タイプ、ＲＦＩＤタグ１２のＩＤをキーとして管理アイテム識別ＩＤ変換テーブル５１２が検索される。そして、そのレコードが存在する場合は該当レコードが削除され、存在しない場合は処理が行われない（ステップＤ５，６）。
【０１１１】
次に、管理アイテム１からアクティブタグのＲＦＩＤタグ１２を取り外す（ステップＤ７）。
【０１１２】
このように、実施形態３では、図１の情報管理サーバ５にマッピング解除手段５７を追加し、同様にマッピング登録装置６にマッピング解除入力手段６２を追加しているので、実施形態１での作用効果に加え、パッシブタイプのＲＦＩＤタグ１１を常に添付するようにし、アクティブタイプのＲＦＩＤタグ１２については監視エリア８に入るときに添付し、出るときに取り外すような運用形態をとれることから、特に監視エリア８での管理アイテム１の管理を重点的に行うことができる。
【０１１３】
なお、実施形態３では、パッシブタイプのＲＦＩＤリーダ２Ａ，２Ｂ又はアクティブタイプのＲＦＩＤリーダ３Ａ，３Ｂのいずれか位置情報に基づき管理アイテム１の所在位置を管理するようにしているが、上記同様に、たとえばパッシブタイプのＲＦＩＤリーダ２Ａ及びＲＦＩＤリーダ３Ａの位置情報に基づき、管理アイテム１の所在位置の変移の管理が行われることは勿論である。
【０１１４】
また、実施形態３では、ＲＦＩＤタグ１１，１２をパッシブタイプとアクティブタイプの２種類とし、ＲＦＩＤリーダ２Ａ，２Ｂ，３Ａ，３Ｂをパッシブタイプとアクティブタイプの２台づつで使用する場合について説明しているが、上記同様に、ＲＦＩＤタグ１１，１２の機種の数やＲＦＩＤリーダ２Ａ，２Ｂ，３Ａ，３Ｂの台数に制限がないことはいうまでもない。
【０１１５】
また、上記同様に、情報収集装置４Ａ〜４Ｄの台数についても制限はなく、１台の情報収集装置４Ａ〜４Ｄに複数のＲＦＩＤリーダ２Ａ，２Ｂ，３Ａ，３Ｂを接続することも可能である。同様に、マッピング登録装置６Ａ，６Ｂの台数についても制限はなく、さらには情報収集装置４Ａ〜４Ｄにてマッピング登録に関わる同一の機能を実装する構成も可能である。
【０１１６】
また、上記の各実施形態１〜３では、通常エリア７にＲＦＩＤリーダ２Ａ，２Ｂを配置し、監視エリア８にＲＦＩＤリーダ３Ａ，３Ｂを配置した場合について説明しているが、これらのＲＦＩＤリーダ２Ａ，２Ｂ，３Ａ，３Ｂを通常エリア７と監視エリア８に混在させてもよい。
【産業上の利用可能性】
【０１１７】
本発明によれば、企業の資産の所在位置管理といった用途に適用できる。また、企業の秘密文書の所在位置管理といった用途にも適用できる。また、建物やフロアの入退場及び行動履歴管理といった用途にも適用可能である。
【図面の簡単な説明】
【０１１８】
【図１】本発明の所在位置管理システムの実施形態１に係る基本構成を示すブロック図である。
【図２】図１の所在位置管理システムの運用形態を示すブロック図である。
【図３】図１及び図２の所在位置管理システムにおける所在位置管理方法を説明するためのフローチャートである。
【図４】図１及び図２の所在位置管理システムにおける所在位置管理方法を説明するためのフローチャートである。
【図５】本発明の所在位置管理システムの実施形態２に係る基本構成を示すブロック図である。
【図６】図５の所在位置管理システムの運用形態を示すブロック図である。
【図７】本発明の所在位置管理システムの実施形態３に係る基本構成を示すブロック図である。
【図８】図７の所在位置管理システムの運用形態を示すブロック図である。
【図９】図７及び図８の所在位置管理システムにおける所在位置管理方法を説明するためのフローチャートである。
【図１０】図７及び図８の所在位置管理システムにおける所在位置管理方法を説明するためのフローチャートである。
【符号の説明】
【０１１９】
１  管理アイテム
２，３，２Ａ，２Ｂ，３Ａ，３Ｂ  ＲＦＩＤリーダ（読取手段）
４，４Ａ，４Ｂ，４Ｃ，４Ｄ  情報収集装置
５  情報管理サーバ
６，６Ａ，６Ｂ  マッピング登録装置
７  通常エリア
８  監視エリア
１１，１２  ＲＦＩＤタグ（データキャリア）
４１  ＩＤ読込手段
４２  検知情報通知手段
５１  データベース
５２  検知情報収集手段
５３  機種タイプ取得手段
５４  管理アイテム識別ＩＤ取得手段
５５  位置情報記録手段
５６  マッピング登録手段
５７  マッピング解除手段
６１  マッピング登録入力手段
６２  マッピング解除入力手段
５１１  機種タイプ変換テーブル
５１２  管理アイテム識別ＩＤ変換テーブル
５１３  位置情報管理テーブル
【図１】
2006244338.tif 000003
【図２】
2006244338.tif 000004
【図３】
2006244338.tif 000005
【図４】
2006244338.tif 000006
【図５】
2006244338.tif 000007
【図６】
2006244338.tif 000008
【図７】
2006244338.tif 000009
【図８】
2006244338.tif 000010
【図９】
2006244338.tif 000011
【図１０】
2006244338.tif 000012